【手続補正書】
【提出日】平成16年4月15日(2004.4.15)
【手続補正１】
【補正対象書類名】特許請求の範囲
【補正対象項目名】全文
【補正方法】変更
【補正の内容】
【特許請求の範囲】
【請求項１】
容器と、
前記容器に対して回転するように取付けられている駆動ディスクと、
２つの反対の回転方向に前記駆動ディスクを駆動する駆動手段と、
前記回転方向の一方に前記駆動ディスクを駆動するように前記駆動手段を付勢する付勢手段と、
前記駆動ディスクの回転方向を反転させる手段と、
前記駆動ディスクと同軸的に設置されているターゲットディスクと、
前記ターゲットディスクに関して回転するように前記ターゲットディスクに取付けられている少なくとも１つのターゲットと、
前記駆動ディスクに前記ターゲットディスクを接続する接続リンク機構とを具備し、
それにより前記ターゲットディスクが前記駆動ディスクの定常状態の回転中に前記駆動ディスクと同期して回転し、前記ターゲットディスクは前記駆動ディスクの回転方向が反転されたとき前記駆動ディスクに関して制限された回転を受け、それにより前記少なくとも１つのターゲットは、前記ターゲットディスクが前記駆動ディスクに関して回転するとき前記ターゲットディスクに関して回転するように構成されている娯楽装置。
【請求項２】
前記駆動ディスクの回転方向を反転させる手段は、遠隔制御装置と、信号を送信する送信機と、信号を受信する受信機とを備え、前記送信機と前記受信機の一方は前記遠隔制御装置中に含まれており、前記送信機と前記受信機の他方は前記ターゲットディスクおよび前記容器の１つに関して固定されている請求項１記載の娯楽装置。
【請求項３】
前記信号は収束された放射線ビームである請求項２記載の娯楽装置。
【請求項４】
前記ターゲットディスクに固定され、少なくとも１つの前記ターゲットに関係している少なくとも１つの前記送信機を具備している請求項２記載の娯楽装置。
【請求項５】
さらに、少なくとも１つの前記受信機が何回信号を受信したかを可視的に示すスコアの指標を含んでいる請求項４記載の娯楽装置。
【請求項６】
さらに、少なくとも１つの前記受信機が信号を受信したときを可聴的に認識する指標を含んでいる請求項４記載の娯楽装置。
【請求項７】
前記駆動手段を付勢する付勢手段は、前記遠隔制御装置に含まれている送信機と、前記容器に関して固定された受信機とを含んでいる請求項４記載の娯楽装置。
【請求項８】
前記駆動手段は、前記容器に固定された電気モータと、前記電気モータによって駆動されるピニオンギアと、前記駆動ディスクの周辺ギアとを備え、前記ピニオンギアは前記周辺ギアと噛合って前記駆動ディスクを回転させるように構成されている請求項１記載の娯楽装置。
【請求項９】
前記接続リンク機構は駆動ホイール上の少なくとも１つの湾曲したラックと、前記ターゲットディスク上に取付けられた少なくとも１つのギア列とを備え、前記少なくとも１つのターゲットホイールが前記駆動ディスクに関して回転するときそれぞれギア列を介して前記ターゲットを回転させるように構成されている請求項１記載の娯楽装置。
【請求項１０】
前記ギア列は、前記ラックおよび前記ターゲットに関して同軸的に固定された駆動ギアと噛合うピニオンを有している請求項８記載の娯楽装置。
【請求項１１】
前記ギア列はさらに中間ギアを備え、その前記中間ギアは前記ピニオンギアに関して同軸的に固定されて駆動ギアと噛合っており、それにより駆動ギアが前記中間ギアよりも早く回転するように構成されている請求項１０記載の娯楽装置。
【請求項１２】
前記制御手段は、ターゲットディスクが前記駆動ディスクに関して前記限定された回転を完了したとき、前記駆動ディスクの回転の方向を自動的に反転させるよう制御して前記前記ターゲットの回転方向を反転させる請求項１記載の娯楽装置。
【請求項１３】
前記ターゲットディスクが前記駆動ディスクに関して反対方向に２つの連続的に限定された回転を完了したとき、前記少なくとも１つのターゲットは、前記連続的回転運動に先立って前記ターゲットディスクに関して同じ位置をとる請求項１２記載の娯楽装置。
【請求項１４】
前記容器はフェイスプレートを備え、そのフェイスプレートは前記ターゲットディスクの一部分を隠蔽してそれにより前記少なくとも１つのターゲットは前記ターゲットディスクが回転するときのみ限定された時間だけ可視状態にされる請求項１記載の娯楽装置。
【請求項１５】
前記ターゲットがゲームの動物のイメージを与えられ、前記回転するターゲットディスクが射的場として前記フェイスプレートの後方から現れる請求項１４記載の娯楽装置。
【請求項１６】
さらに、時計を備え、その時計は前記フェイスプレート上に回転するように設けられているバンドを備えている請求項１４記載の娯楽装置。
【請求項１７】
前記駆動手段を付勢する付勢手段はタイマを備え、そのタイマは、前記時計により示された予め定められた時間の予め定められた期間中前記駆動手段が前記駆動ディスクを前記一方の方向に自動的に付勢する請求項１６記載の娯楽装置。
【請求項１８】
さらに、前記時計が動作しているとき前記ターゲットディスクの一部分の前方で前後にスイングする振子を備えている請求項１６記載の娯楽装置。
【請求項１９】
前記容器はフェイスプレートを備え、そのフェイスプレートは前記ターゲットディスクの一部分を隠蔽してそれにより前記少なくとも１つのターゲットは前記ターゲットプレートが回転するとき限定された時間だけ可視状態にされ、前記振子は前記フェイスプレートを部分的に隠蔽してフェイスプレートの前方で前後にスイングするように構成されている請求項１８記載の娯楽装置。
【請求項２０】
前記ターゲットが鳥のイメージを与えられ、前記フェイスプレートと前記振子が水のイメージを与えられ、それにより回転するときターゲットディスクが運動している水の上を飛ぶ鳥の印象を与える請求項１９記載の娯楽装置。
【請求項２１】
容器と、
前記容器に対して回転するように取付けられている駆動ディスクと、
前記駆動ディスクを回転するように駆動する駆動手段と、
前記駆動ディスクを駆動するように前記駆動手段を付勢する付勢手段と、
前記駆動ディスクと同軸的に取付けられているターゲットディスクと、
前記駆動ディスクに関して前記ターゲットディスクを回転させる手段と、
前記ターゲットディスクに関して運動するように前記ターゲットディスクに取付けられている少なくとも１つのターゲットと、
前記駆動ディスクに前記ターゲットディスクを接続する接続リンク機構とを具備し、
それにより前記ターゲットディスクが前記駆動ディスクの定常状態の回転中前記駆動ディスクと同期して回転し、前記少なくとも１つのターゲットは、前記ターゲットディスクが前記駆動ディスクに関して回転するとき前記ターゲットディスクに関して運動するように構成されている娯楽装置。
【請求項２２】
前記駆動ディスクに関して前記ターゲットディスクを回転させる手段は、前記駆動ディスクの回転方向を反転させる手段を具備し、前記接続リンク機構は前記ターゲットディスクを前記駆動ディスクに接続して前記駆動ディスクの回転方向が反転されるとき前記ターゲットディスクが前記駆動ディスクに関して回転するように構成されている請求項２１記載の娯楽装置。
【請求項２３】
前記駆動ディスクの回転方向を反転させる手段は、遠隔制御装置と、信号を送信する送信機と、信号を受信する受信機とを備え、前記送信機と前記受信機の一方は前記遠隔制御装置中に含まれており、前記送信機と前記受信機の他方は前記ターゲットディスクに関して固定されている請求項２２記載の娯楽装置。
【請求項２４】
前記駆動手段を付勢する手段は、遠隔制御装置と、信号を送信する送信機と、前記信号を受信する受信機とを備え、前記送信機は前記遠隔制御装置中に含まれており、前記受信機は前記容器に関して固定されている請求項２１記載の娯楽装置。
【請求項２５】
前記少なくとも１つのターゲットは、前記ターゲットディスクに関して回転するように取付けられている請求項２１記載の娯楽装置。
【請求項２６】
前記駆動ディスクの回転方向を反転させる手段は、遠隔制御装置と、信号を送信する少なくとも１つの送信機と、信号を受信する少なくとも１つの受信機とを備え、前記少なくとも１つの送信機は前記ターゲットディスクに固定されており、前記少なくとも１つの受信機は前記遠隔制御装置に固定されている請求項２５記載の娯楽装置。
【請求項２７】
容器と、
前記容器に対して回転するように取付けられているターゲットディスクと、
前記ターゲットディスクを駆動する手段と、
前記ターゲットディスクを駆動するように前記駆動手段を付勢する付勢手段と、
前記ターゲットディスクに関して運動するように取付けられている少なくとも１つのターゲットと、
指針を有する時計と、
ターゲットを照準する手段とを具備し。
このターゲットを照準する手段は、ターゲットディスクに関して運動している前記少なくとも１つのターゲットをそのターゲットを照準する手段が狙っているとき前記少なくとも１つのターゲットと無線で通信するように、前記少なくとも１つのターゲットに信号を送信する送信機と、前記少なくとも１つのターゲットから信号を受信する受信機とを具備し、
前記容器はそれに固定されたフェイスプレートを備え、そのフェイスプレートは前記ターゲットディスクの一部分を隠蔽してそれにより前記ターゲットプレートが回転するとき前記少なくとも１つのターゲットが限定された時間だけ可視状態にされ、
前記時計の指針は前記フェイスプレート上に回転するように取付けられている受信機とを具備している射撃照準娯楽装置。